(57)【特許請求の範囲】
【請求項１】
電子機器の筐体に形成された開口部を塞ぐカバー部材であって、
前記カバー部材は平板形状をもち、かつ、その内側面に、
前記開口部の輪郭形状よりも小さい輪郭形状をもつ板状部材の最外周面全体に付着して、前記開口部の輪郭形状よりも大きい輪郭形状をもつパッキンを一体的に設けてなる防水部材が取り付けられており、
前記カバー部材で前記開口部を塞ぐことにより、前記防水部材が前記開口部の中に圧入され、前記パッキンが前記開口部を形作る壁部に圧縮された分、前記開口部の奥にさらに進入する、
ことを特徴とするカバー部材。
【請求項２】
前記板状部材の側縁部は、全周に亘って厚肉となっていることを特徴とする請求項１に記載のカバー部材。
【請求項３】
前記防水部材は、前記パッキンと前記板状部材との２色成形で構成されていることを特徴とする請求項１又は２に記載のカバー部材。
【請求項４】
前記板状部材は、超音波溶着法により前記カバー部材の内側面に接着されることを特徴とする請求項１に記載のカバー部材。
【請求項５】
当該カバー部材は、前記板状部材と同一若しくは融点が近似する熱可塑性樹脂から作られていることを特徴とする請求項４に記載のカバー部材。
【請求項６】
前記パッキンの進入は、前記カバー部材の内側面が前記壁部の外側面に当接した段階で止まることを特徴とする請求項１乃至５の何れか一項に記載のカバー部材。
【請求項７】
前記カバー部材は、内側にコネクタを備える前記開口部を塞ぐコネクタカバーであることを特徴とする請求項１乃至６の何れか一項に記載のカバー部材。
【請求項８】
前記カバー部材が前記開口部を塞いだ状態で、前記パッキンと前記コネクタとは離隔することを特徴とする請求項７に記載のカバー部材。
【請求項９】
筐体に開口部が形成された電子機器であって、
前記請求項１乃至８の何れか一項に記載のカバー部材を備えたことを特徴とする電子機器。
【発明の詳細な説明】
【技術分野】
【０００１】
本発明は、電子機器の筐体に設けられた開口部を塞ぐカバー部材及びこれを用いた電子機器に関する。
【背景技術】
【０００２】
従来、携帯電話等の電子機器では、携帯電話における電話機能のような機器本来の機能の他に、パソコンやメモリカード等との間のデータ転送機能をもつものも提供されている。
【０００３】
このような電子機器は、通常、各種のコネクタをもつ。これは、当該電子機器とパソコン等との接続を可能にし、前記データ転送機能等の実現を図るためである。また、電話機能やテレビ機能、あるいはラジオ機能等を備えた電子機器では、ユーザへの音声の伝達にスピーカではなく、ヘッドホン、あるいはイヤホン等を使用する場合もあるが、この場合にも、当該ヘッドホン等のためのコネクタが必要になる。これらのコネクタは、電子機器を構成する筐体の開口部に配置される。
【０００４】
また、上述のようなコネクタをもつ電子機器は、通常、上記開口部を塞ぐカバーをももつ。これは、前述のデータ転送機能、あるいはヘッドホン等を使用しない場合には、コネクタを外界から保護する必要があるからである。このカバーの存在によって、コネクタが、塵芥に晒されたり、あるいは直接的な衝撃力を受ける等といった事態の発生が未然に防止される。また、このカバーに、防水機能をもたせることも、従前より行われている。
【０００５】
このようなコネクタ及びそのカバーをもつ電子機器は、例えば特許文献１に開示されているようなものが知られている。
【特許文献１】特開２００６−１４７８６８号公報
【発明の開示】
【発明が解決しようとする課題】
【０００６】
特許文献１においては、カバーの内面に環状突起部を設けるとともに、この環状突起部の底面（カバーの内面に一致する。）及び内側側面を覆うようにシール部材及び固定部材を積層し、シール部材上に固定部材を積層することによりシール部材の端部が外側に開く構造を採用することで、当該カバーに防水機能をもたせる技術が開示されている（以上、特許文献１の〔請求項１〕等）。
【０００７】
しかしながら、この特許文献１に開示される技術には、次のような難点がある。
すなわち、特許文献１が開示する技術では、上述のように環状突起部の底面及び内側側面を覆うようにシール部材が設けられ、これを、前記底面及び内側側面によって形作られる内方空間とほぼ同じ形状をもつ固定部材でもって押さえ付けて固定する構造が採用されているので、シール部材の保持構造が複雑である。
また、シール部材上に固定部材を積層することによりシール部材の端部が外側に開く構造となっており、カバーを開閉するたびにシール部材の端部が開閉するので、その付け根部分が破断する危険性が高い、という難点がある。
【０００８】
本発明は、上記事情に鑑みてなされたものであり、薄型で且つ耐久性を有する防水機能を備えたカバー部材及びこれを用いた電子機器を提供することを目的とする。
【課題を解決するための手段】
【０００９】
上記目的を達成するため、本発明に係るカバー部材は、電子機器の筐体に形成された開口部を塞ぐカバー部材であって、
前記カバー部材は平板形状をもち、かつ、その内側面に、
前記開口部の輪郭形状よりも小さい輪郭形状をもつ板状部材の最外周面全体に付着して、前記開口部の輪郭形状よりも大きい輪郭形状をもつパッキンを一体的に設けてなる防水部材が取り付けられており、
前記カバー部材で前記開口部を塞ぐことにより、前記防水部材が前記開口部の中に圧入され、前記パッキンが前記開口部を形作る壁部に圧縮された分、前記開口部の奥にさらに進入する、
ことを特徴とする。
【００１０】
前記防水部材は、前記パッキンと前記板状部材との２色成形で構成されるようにしてもよい。
【００１１】
前記板状部材の側縁部は、全周に亘って厚肉となるようにしてもよい。
【００１２】
前記板状部材は、超音波溶着法により前記カバー部材の内側面に接着されるようにしてもよい。
【００１３】
前記カバー部材は、前記板状部材と同一若しくは融点が近似する熱可塑性樹脂から作られるようにしてもよい。
前記パッキンの進入は、前記カバー部材の内側面が前記壁部の外側面に当接した段階で止まるようにしてもよい。
前記カバー部材は、内側にコネクタを備える前記開口部を塞ぐコネクタカバーであってもよい。
前記カバー部材が前記開口部を塞いだ状態で、前記パッキンと前記コネクタとは離隔するようにしてもよい。
【００１４】
本発明に係る携帯型電子機器は、筐体に開口部が形成された電子機器であって、上記のカバー部材を備えたことを特徴とする。
【発明の効果】
【００１５】
以上のように、本発明によれば、まず、開口部を開閉可能なカバー部材がその内側面に防水部材が取り付けられていることから、実効的な防水機能の発揮が期待できる。
また、これと同時に、当該防水部材の構造が、板状部材の外周面にパッキンを一体的に設けてなるものとなっているので、薄型で且つ耐久性を有するカバー部材を提供することも可能となる。また、このカバー部材によって、電子機器全体の薄型化あるいは小型化をも実現することができる。
【発明を実施するための最良の形態】
【００１６】
以下では、本発明の実施の形態について、図１及び図２を参照して説明する。本実施形態に係る携帯電話は、第１筐体１、第２筐体２及びヒンジ部３を備える。
【００１７】
第１筐体１は、比較的扁平な略直方体形状をもつ。この略直方体形状を構成する幅広面の一方には、図１に示すように、表示部１１が備えられている。この表示部１１は、例えば液晶表示装置等から構成される。この表示部１１には、図示はされないが、テレビ電波用の受像回路、あるいは画像信号処理回路等が接続され得る。
表示部１１の近傍（図１中上方）には、レシーバ１２が備えられている。レシーバ１２は、所定の電気信号を音声に変換する機能を持つ。
【００１８】
第２筐体２は、前記第１筐体１と同様、比較的扁平な略直方体形状をもつ。この第２筐体２は、フロントケース２８１及びリアケース２８２の２つの外装ケースを有する。いずれの外装ケース（２８１，２８２）も、長方形状の板状部分と当該板状部分の輪郭をなぞるように立つ側壁部分を含む。第２筐体２は、これらケース（２８１，２８２）双方の前記側壁部分の端面が相互に当接することによって、略直方体形状をもつことになる（図２参照）。
【００１９】
この第２筐体２の幅広面の一方には、図１あるいは図２に示すように、操作部２１が備えられている。この操作部２１は、テンキー２１１、カーソルキー２１２及び決定キー２１３を含む。
テンキー２１１は、０から９までの数字キーを含む。カーソルキー（十字キー）２１２は、カーソルを四方向に移動させることができるキーであり、例えば、表示部１１に比較的制限された幾つかの選択肢を含む機能選択メニューが表示されている場合に、その中から、ユーザに所望の選択肢を選んでもらう等といった用途に利用されると便利である。また、決定キー２１３は、カーソルキー２１２で選択された選択肢を決定する際等に利用するキーである。
なお、操作部２１は、上記の他、各種のアルファベットキー、エンターキー、ファンクションキー等の各種機能の実現を担うキーをも含み得る。
【００２０】
操作部２１の近傍（図１中下方）には、マイク２２が備えられている。このマイク２２は、前述のレシーバ１２とは逆に、当該携帯電話のユーザの声を受け取り、これを電気信号に変換する機能を持つ。
なお、このマイク２２は、音声が変換された電気信号（即ち、音声信号）を処理するための、適当な音声信号処理回路等に接続されうる。かかる事情は、前記のレシーバ１２についても同様である。
【００２１】
第２筐体２には更に、コネクタ部５及びインナーケース２７が備えられるが、このコネクタ部５等については、後に詳述する。
【００２２】
ヒンジ部３は、上述の第１筐体１及び第２筐体２を接続する。ヒンジ部３は、図１において明瞭には図示されない、２つの回転軸をもつ。このうちの一方の回転軸は、図１に示す軸Ａｘに平行なものであり、他方の回転軸は、軸Ｂｘに平行なものである。軸Ａｘに平行な回転軸によって、第１筐体１及び第２筐体２は、相対的に、図１に示す矢印Ａに示すような回転動作をすることが可能である。また、軸Ｂｘに平行な回転軸によって、第１筐体１は、図１に示す矢印Ｂに示すような回転動作をすることが可能である。
【００２３】
かかる基本的構成を備えた本実施形態の携帯電話では特に、前述のコネクタ部５に関わる構成について特徴がある。以下、これを図２乃至図７を参照して説明する。このコネクタ部５は、開口部５１、コネクタ５２及びコネクタカバー５３を含む。
【００２４】
開口部５１は、図５等に示すように、第２筐体２を構成するインナーケース２７の側面に形成されている。図では、その輪郭形状が長円形状をもつものとして示されている。なお、「長円形状」とは、長方形の長手方向でみた両端それぞれに、半円の直径部分を接続したかのような形状を意味する。
この長円形状たる輪郭形状は、図６に示すように、壁部５１１の縁によって形作られる。すなわち、開口部５１は、その内部に長円形状を形作るように取り囲む壁部５１１によって形作られているのである。
【００２５】
以上述べたような開口部５１のインナーケース２７上における形成位置は、第２筐体２を構成するフロントケース２８１の側面の一部を切り欠いた切り欠き部２８１ａの形成位置とほぼ一致する（図２参照）。なお、図２では、この切り欠き部２８１ａほど明瞭には図示されないが、リアケース２８２についても同様の切り欠き部２８２ａが形成されている（図５参照）。これらの切り欠き部２８１ａ，２８２ａで囲まれる長方形状の領域は、コネクタカバー５３で前記開口部を覆った際に、コネクタカバー５３のカバー本体部５４が位置する領域である。
【００２６】
コネクタ５２は、開口部５１の形成位置に対応するように配置される（図２等参照）。コネクタ５２は、電気回路基板１００（ここでいう「電気回路」には、前述した受像回路、画像信号処理回路、音声信号処理回路その他の回路を含み得る。）の一部を構成する。コネクタ５２としては、様々な用途に対応したコネクタを用いることができる。より具体的には、例えば、（１）ヘッドホン、あるいはイヤホン等を接続するためのコネクタ、（２）パソコンを接続するためのコネクタ、（３）メモリカードを接続するためのコネクタ等である。（１）のコネクタによれば、前記レシーバ１２の代わりに、ヘッドホン等を利用して、受信した電波等に基づく音声を聴くことができる。（２）のコネクタによれば、当該携帯電話とパソコン等との間で所定のデータ通信規則に従ったデータ転送等を行うことができる。また、（３）のコネクタによれば、当該携帯電話のメモリ容量を簡単に増やすことができる。
【００２７】
コネクタカバー５３は、前述の開口部５１を覆うように配置可能である。このコネクタカバー５３は、カバー本体部５４と、カバー本体部５４を第２筐体２に対して回動可能に支持する支持部５５をもつ。
【００２８】
まず、支持部５５は、図３等に示すように、カバー本体部５４の内側面に立設されたＬ字形を成すアーム部５５１と、アーム部５５１の先端部においてアーム部５５１に対して垂直に接続された丸棒状の回転軸部５５２とを有する。すなわち、本実施形態に係る支持部５５は、軸線が互いに直交する３つの軸を繋いだ形態をもつ（なお、図２においては、支持部５５自体は明瞭に図示されていないものの、当該支持部５５がどこに位置するかを表すための破線の円が表示されている。）。
【００２９】
アーム部５５１は、Ｌ字形の一方の辺を構成する第１の軸部５５１ａが、カバー本体部５４の内側面の短手側縁部の略中央部においてカバー本体部５４の内側面に対して略垂直に立ち、Ｌ字形の他方の辺を構成する第２の軸部５５１ｂが、前記短手側縁部に沿って爪引っ掛け部５４１が形成されている側から遠ざかる方向に延びる構成となっている。
【００３０】
回転軸部５５２は、その一端が、アーム部５５１の先端部（第２の軸部５５１ｂの先端部）に接続される。この回転軸部５５２は、アーム部５５１に垂直であり、カバー本体部５４の内側面に沿い、かつカバー本体部５４の長手方向であってカバー本体部５４から遠ざかる方向に延びる。なお、回転軸部５５２の他端は、図３あるいは図４に示すように、円盤部５５２ａとなっている。
【００３１】
前記の支持部５５は、図６に示すように、インナーケース２７の側面に形成された収納溝２９に収納される。収納溝２９は、正面視すればＬ字の形状をもつ（図では、その”Ｌ”を、左に横倒ししたかの如く示されている。）。このＬ字の一方の辺は、前記アーム部５５１を収納するための溝部２９ａ（以下、「縦溝」ということがある。）であり、他方の辺は、前記回転軸部５５２を収納するための溝部２９ｂ（以下、「横溝」ということがある。）である。
これら縦溝２９ａ及び横溝２９ｂの幅は、アーム部５５１及び回転軸部５５２の太さに応じて定まる。これら幅及び太さの両者はほぼ等しく設定されるのが、最も好ましい（勿論、「収納」溝であるから、両者間に適当なクリアランスが設定されるべきことは、言うまでもない。）。
【００３２】
また、この収納溝２９の深さは、主に前記アーム部５５１の第１の軸部５５１ａの長さに応じて定まる。ただし、これら深さないし長さは、開口部５１を取り囲む壁部５１１の端面とカバー本体部５４の内側面の少なくとも一部との当接可能性を喪失させないように定められる。
【００３３】
さらに、回転軸部５５２の一部たる前記円盤部５５２ａは、図６に示すように、収納溝２９内には収納されない。この円盤部５５２ａは、前記横溝２９ｂの端部からいわばはみ出す。これによって、円盤部５５２ａは、支持部５５が、回転軸部５５２の延在方向に沿って収納溝２９から飛び出すのを防止する、ストッパとしての機能を担う。
【００３４】
なお、前記収納溝２９は、常態においては、コネクタカバー５３と第２筐体２の外形を形作るフロントケース２８１及びリアケース２８２によって覆い隠されている（図１及び図２参照）。より具体的には、縦溝２９ａはコネクタカバー５３のカバー本体５４により覆われ、横溝２９ｂはリアケース２８２により覆われ、円盤部５５２ａが位置する領域はフロントケース２８１及びリアケース２８２により覆われている。これにより、当該携帯電話の外見上の見栄えが損なわれることがない。また、これらのケース（２８１，２８２）は、支持部５５が、アーム部５５１の第１の軸部５５１ａの延在方向、ないしは当該方向にほぼ沿った方向に沿って収納溝２９から飛び出すのを防止するストッパという機能をもち、より実質的な役割をも担う。
【００３５】
一方、カバー本体部５４は、図３あるいは図４に示すように、平面視して略長方形状であり、フロントケース２８１の側面に形成された切り欠き部２８１ａとリアケース２８２の側面に形成された切り欠き部２８２ａとで囲まれる領域の形状に対応している。
また、カバー本体部５４は、全体的にみて平板状の形態をもつ。ただし、本実施形態に係るカバー本体部５４は、その外表面が当該長方形状の短手方向に沿って若干湾曲している（図１参照）。これは、コネクタカバー５３で開口部５１を覆った際にその外表面が第２筐体２の側面と面一となるようにするためのものであって、意匠上の配慮によるものであるが、この程度の変形は、本発明にいう「平板形状」なる概念内に当然含まれる。
また、カバー本体部５４の図３中手前側の縁の部分には、爪引っ掛け部５４１が形成されている。その実体は、カバー本体部５４の縁部から、その外表面に対して斜め方向に沿って突出した、長さの微小な舌片部である。
カバー本体部５４は、硬質樹脂、例えばポリカーボネート樹脂から作られる。なお、前述した支持部５５は、弾性樹脂、例えばポリエチレン系エラストマー樹脂から作られる。
【００３６】
カバー本体部５４の内側面には、図３あるいは図４に示すように、防水部材６０が取り付けられている。この防水部材６０は、環状のパッキン６１及び介装材６２からなる。
パッキン６１は、前述した開口部５１の長円形状に略相似する長円形状をもつ。ただし、略相似とはいっても、パッキン６１の長円形状（特に、該パッキン６１の外縁輪郭である長円形状）と開口部５１のそれとは、前者が後者に比べて一回り大きいということを除いて、殆ど同じ形状である。このパッキン６１は、介装材６２の周囲を取り巻くように、当該介装材６２に装着される。
このようなパッキン６１は、軟質の弾性樹脂、例えばシリコンゴムから作られる。
【００３７】
介装材６２は、その平面形状が開口部５１の長円形状に略相似する長円形状である板状の部材である。ただし、介装材６２の長円形状は開口部５１の長円形状よりも一回り小さい。これは、後述するように、コネクタカバー５３で開口部５１を塞いだ際に、防水部材６０が開口部５１の中に嵌め込まれる構成となっているからである。また、それ故に、介装材６２は、ポリカーボネート樹脂等の硬質樹脂から作られるのが好ましい。
また、このように、パッキン６１がシリコンゴム等の軟質弾性樹脂で構成され、介装材６２がポリカーボネート樹脂等の硬質樹脂で構成される場合には、これらからなる防水部材６０を、両者の２色成形によって一体的構造物として製造するのが好ましく、本実施の形態ではそのように構成している。
【００３８】
防水部材６０は、介装材６２の底面をカバー本体部５４の内側面に接着することにより、カバー本体部５４の内側面に取り付けられる。
両者間の接着には、超音波溶着法を利用するのが最も好適な手段の一つである。
ここに超音波溶着とは、一般に、機械的振動によって生じる接着面及び被接着面間の摩擦熱を利用して、両面間の接着を行う方法である。この場合、接着面及び被接着面は、前記摩擦熱により溶融し、凝固を経ることによって相互に接着される。
このような超音波溶着によれば、カバー本体部５４及び介装材６２間を比較的強固に接着することができる。
【００３９】
なお、この場合、カバー本体部５４及び介装材６２を合成樹脂から作るのであれば、双方とも熱可塑性樹脂である必要がある。この観点からすると、前述のように、両者をポリカーボネート樹脂から作るのは、最も好適な材料選択の一つである。また、この場合、両者同材であるから、接合強度は一般に更に強固となりうる。
本実施形態では、図４に示すように、カバー本体部５４の内側面にリブ５４２，５４３が設けられ、これらのリブ５４２，５４３を溶着リブとして、カバー本体部５４と介装材６２とが溶着されている。なお、図中５４４は、溶着される介装材６２がカバー本体部５４の内側面に対して平行で、且つ所定距離離間するように規制するための規制リブである。この規制リブを設けていることにより、溶着処理を適正なタイミングで終了させることが可能となる。具体的には、介装材６２の下面の周縁部に設けられた厚肉部が規制リブに当接した時点で、溶着処理を終了させる。また、介装材６２の下面の周縁部に設けられた厚肉部は、介装材６２に対するパッキン６１の接着強度の向上にも寄与している。
【００４０】
次に、上述した携帯電話を構成するコネクタカバー５３の開閉動作について説明する。
まず、コネクタカバー５３は、常態においては、カバー本体５４が、フロントケース２８１の側面に形成された切り欠き部２８１ａとリアケース２８２の側面に形成された切り欠き部２８２ａとで囲まれる領域に位置し、図１に示すように閉じられている。この場合、このコネクタカバー５３の外表面は、第２筐体２を形作るフロントケース２８１及びリアケース２８２の面と同一面を構成し、両者は、意匠上一体的な外観を作り出す。
【００４１】
かかる閉状態においては、図７に一点鎖線で示すように、防水部材６０は開口部５１の中に嵌め込まれている。より詳細には、開口部５１を形作る壁部５１１の内周面に、パッキン６１の外周面が接するように、当該パッキン６１は開口部５１の中に嵌め込まれている。この場合、壁部５１１の内周面及びパッキン６１の外周面間は密に接する。
以上により、外界から筐体内に浸入してこようとする水が、パッキン６１が位置する部分よりも深い部分（図７では上方）に達するおそれは殆どない。
【００４２】
かかる閉状態から、コネクタ５２を外界に露出するためには、コネクタカバー５３を開く必要がある。この場合、まずユーザは、カバー本体部５４の図１中上縁部分に形成された爪引っ掛け部５４１に爪等を引っ掛け、外側方向へ力をかける。
そうすると、コネクタカバー５３は、当然、その上縁部分が外側に引っ張られる。
これにより、防水部材６０が開口部５１から抜け、支持部５５のアーム部５５１は収納溝２９の縦溝２９ａから引き出されるが、回転軸部５５２は、フロントケース２８１及びリアケース２８２の存在により、収納溝２９の横溝２９ｂから飛び出すことはない。
このような外側方向への力の作用、並びにフロントケース２８１及びリアケース２８２による支持部５３の動きに対する制約が働くことによって、コネクタカバー５３は結局、収納溝２９の一部を構成する横溝２９ｂ内で、回転軸部５５２を中心として回転するように動作する。そして、最終的には、図５あるいは図６に示すように、コネクタカバー５３は完全に開く。
【００４３】
一方、かかる開状態から再び先に述べた閉状態にするためには、コネクタカバー５３をいま述べた方向とは逆に回転させて、フロントケースの切り欠き部２８１ａ及びリアケース２８２の切り欠き部で囲まれている位置にあわせた後、カバー本体部５４の内側面が壁部５１１の前面に当接するまでインナーケース２７側へ押し込めばよい。これにより、防水部材６０が開口部５１の中に圧入されて、最終的には、先の図１に示したような閉状態が実現される。
なお、この際、パッキン６１の開口部５１内への進入は、該パッキン６１の外周面が該開口部５１を形作る壁部５１１の内周面を擦りながら、行われる。また、このパッキン６１の進入は、カバー本体部５４の内側面が壁部５１１の前面に当接した段階で止められる。
【００４４】
以上説明した、本実施形態に係る電子機器によれば、次のような効果が奏される。
（１）  本実施形態に係るコネクタカバー５３は、パッキン６１及び介装材６２からなる防水部材６０をもつので、実効的な防水機能の発揮が期待できる。
【００４５】
（２）  コネクタカバー５３は、カバー本体部５４の内側面に、前記防水部材６０を備える構成をとることから、その薄肉化が可能である。というのも、当該防水部材６０は、比較的肉厚の小さい介装材６２を含み得るからである。しかも、介装材６２の肉厚が薄いとはいえ、パッキン６１は２色成形により介装材６２に装着されており、その接着強度は大きいので、パッキン６１は縦横両方向に十分な厚みを持たせることができる。また、必要に応じて、介装材６２の周縁部の肉厚を厚くし、パッキン６１の接着領域を広げることもできるので、防水機能は十分確保される。
以上により、本実施形態では、カバー本体部５４が平板状であり、介装材６２も比較的薄肉の板状であることによって、全体的に、より薄肉化したコネクタカバー５３を提供することが可能となるのである。また、これにより、携帯電話全体の薄型化あるいは小型化、更にはデザインの洗練化等をも実現することができる。
【００４６】
（３）  また、本実施形態に係る介装材６２は、カバー本体部５４の内側面に超音波溶着されており、上に述べたような薄肉化という効果に大きく貢献している。超音波溶着によれば、接着面と被接着面とを当接させるだけで、両者間の接着（しかも、比較的強固な接着）が可能となるから、防水部材６０をカバー本体部５４の内側面に取り付けるための部材は不要であり、カバー全体の薄肉化に大きく貢献することになるのである。
【００４７】
なお、本発明は上記実施形態にかかわらず、種々の変形が可能である。その変形例としては、例えば次のようなものがある。
（１）  上記実施形態では、第１筐体１及び第２筐体２の２つの筐体をもつ携帯電話に、本発明に係る「カバー部材」を適用する例について説明しているが、本発明はかかる形態に限定されるわけでは勿論ない。例えば、筐体が１つしかない場合であっても、当該筐体がコネクタを露出させるため等の開口部をもつのであれば、当然、本発明の適用は可能である。
【００４８】
（２）  上記実施形態では、ポリカーボネート製の介装材６２は、ポリカーボネート製のカバー本体部５４に超音波溶着されているが、本発明はかかる形態に限定されない。例えば、超音波溶着される介装材６２及びカバー本体部５４は、熱可塑性樹脂であれば他の樹脂あってもよく、また、両者で異なる樹脂を使用する場合は、両者の樹脂の融点が近似していればよい。更には、超音波溶着法を用いるのに代えて、例えば、単純に接着剤を用いる方法を採用してもよい。
【００４９】
（３）  上記実施形態では、開口部５１、パッキン６１及び介装材６２は、いずれも長円形状を基調とする輪郭をもっているが、本発明は、かかる形態にも限定されない。
ただ、これら各要素（５１，６１及び６２）が、長円形状を基調とする形状をもつということは、コネクタカバー５３のよりスムースな開閉動作に資するということはいえる。というのも、本実施形態においては、前述したように、コネクタカバー５３の開閉動作に伴い、パッキン６１の開口部５１への嵌合、及び、両者相互の摺動が予定されているからである。当該嵌合あるいは当該摺動は、例えば角部をもつ輪郭形状の開口部で行うよりも、角部をもたない滑らかな曲線で繋がれた輪郭形状の開口部で行う方が、スムースになされやすい。
【００５０】
（４）  上記実施形態では、電子機器として携帯電話を例に挙げて説明を行っているが、その他にも、ノート型パーソナルコンピュータ、デジタルカメラ、腕時計、ＰＤＡ（Personal Digital Assistance）、電子手帳、携帯型無線機、その他の電子機器に本発明を適用することは当然可能である。
【図面の簡単な説明】
【００５１】
【図１】本発明の実施の形態に係る携帯電話の斜視図である。
【図２】第２筐体を分解して示す斜視図である。
【図３】コネクタカバーを示す斜視図である。
【図４】防水部材を分離した場合のコネクタカバーを示す斜視図である。
【図５】コネクタカバー及びその周辺の構造を示す斜視図であって、そのコネクタカバーが開かれた状態を示す図である。
【図６】図５の要部拡大図である。
【図７】防水部材によって開口部が防水される仕組み等を説明するための説明図である。
【符号の説明】
【００５２】
１・・・第１筐体、１１・・・表示部、１２・・・レシーバ、２・・・第２筐体、２１・・・操作部、２１１・・・テンキー、２１２・・・カーソルキー、２１３・・・決定キー、２２・・・マイク、２７・・・インナーケース、２８１・・・フロントケース、２８２・・・リアケース、２９・・・収納溝、３・・・ヒンジ部、５・・・コネクタ部、５１・・・開口部、５１１・・・壁部、５２・・・コネクタ、５３・・・コネクタカバー、５４・・・カバー本体部、５４１・・・爪引っ掛け部、５５・・・支持部、５５１・・・アーム部、５５１ａ・・・第１の軸部、５５１ｂ・・・第２の軸部、５５２・・・回転軸部、５５２ａ・・・円盤部、６０・・・防水部材、６１・・・パッキン、６２・・・介装材
【図１】
0004892737.tif 000002
【図２】
0004892737.tif 000003
【図３】
0004892737.tif 000004
【図４】
0004892737.tif 000005
【図５】
0004892737.tif 000006
【図６】
0004892737.tif 000007
【図７】
0004892737.tif 000008